(57)【要約】    【課題】  傾斜した取付面に直立して設置する水栓本体が傾かないようにして、水栓の取付が困難となったり美観を損ねたりせず、吐水時の吐水の飛び散りもない水栓取付構造を提供すること。また同時に、傾斜した取付面に水栓本体を取り付ける際にも、取付面・水栓本体ともに専用品が不要な水栓取付構造を提供すること。    【解決手段】  水栓挿通孔３０と、この水栓挿通孔３０の挿通方向に直交する水栓取付面２６が一端側に、水栓取付面２６に対して傾斜された傾斜面２２が他端側に、それぞれ形成された第１台座２０と、水栓挿通孔４６と、第１台座２０の傾斜面２２に対応する傾斜面４２が形成された第２台座４０と、両台座２０，４０をそれらの傾斜面２２，４２を向き合わせて締結可能に設けられたジョイント３４とを設けた。    【選択図】    図１
2006316531.tif 000002
【特許請求の範囲】
【請求項１】
洗面台やキッチンユニットなどの取付基体の設置面に対して傾斜されて設置されるとともに水栓取付孔が形成された該取付基体の取付面に、水栓本体を、その長手方向をほぼ鉛直方向に向けて取り付けるためのほぼ筒状の水栓取付構造であって、
水栓挿通孔と、
該水栓挿通孔の挿通方向に直交する水栓取付面が一端側に、
該水栓取付面に対して傾斜された傾斜面が他端側に、それぞれ形成された第１台座と、
水栓挿通孔と、
前記第１台座の傾斜面に対応する傾斜面が形成された第２台座と、
前記両台座をそれらの傾斜面を向き合わせて締結可能に設けられた締結部材と、
が備えられたことを特徴とする水栓取付構造。
【請求項２】
前記締結部材は、一端と他端に雄ネジ部を設けた円筒状のジョイントであるとともに、該ジョイントの該一端側には前記第１台座の水栓挿通孔内周面に設けられた雌ネジが螺合され、該ジョイントの該他端側にはナットが螺合されることにより、前記両台座が締結されることを特徴とする請求項１に記載の水栓取付構造。
【請求項３】
前記締結部材は、前記第１台座の傾斜面側に一体的に形成され、その下端には雄ネジ部が形成された円筒状のジョイントであるとともに、該雄ネジ部にナットが螺合されることにより、前記両台座が締結されることを特徴とする請求項１に記載の水栓取付構造。
【請求項４】
前記第１台座の水栓取付面に、前記水栓本体を取付固定する取付固定部を一体的に形成したことを特徴とする請求項１乃至請求項３のいずれかに記載の水栓取付構造。
【請求項５】
前記取付固定部は、前記水栓本体の下端部に設けられた雌嵌合部が外嵌可能な雄嵌合部であるとともに、
該雄嵌合部の側面には、該水栓本体の雌嵌合部の側面に形成されたネジ挿通孔に挿入された雄ネジが螺合可能な雌ネジ孔が形成されたことを特徴とする請求項１乃至請求項４のいずれかに記載の水栓取付構造。
【発明の詳細な説明】
【技術分野】
【０００１】
本発明は、洗面台やキッチンユニットなどの取付基体の設置面に対して傾斜されて設置されるとともに水栓取付孔が形成された取付基体の取付面に、水栓本体を取り付けるための水栓取付構造に関する。
【背景技術】
【０００２】
従来、洗面台やキッチンのカウンターや浴室のデッキ面などの取付面に水栓本体を取り付けるための水栓取付構造が種々用いられている。水栓本体が取り付けられる取付面には、湯水がたまることによってゴミがたまったり水垢などが生じないようにするために、例えば洗面ボウル内側に向かって下り傾斜とされるなど、洗面台やキッチンユニットの設置面に対して傾斜して設置されているものもあるが、このような傾斜した取付面に用いられる水栓取付構造も種々知られている。
【０００３】
例えば、このような従来の水栓取付構造では、取付面に堀り込み部を設け、この掘り込み部に垂直方向に形成された水栓取付穴に水栓本体が挿通され、下方からロックナットを締め付けて取り付けられているものが知られている。水栓取付穴の底面は洗面台などの接地面に対して水平に形成されている。また一方、取付面の表側には傾斜面を備えたカバーを水栓本体に挿通させて水栓本体を取付面の表側から固定している。このようにして水栓取付穴に挿通されて取り付けられる水栓本体は、洗面台などが設置される設置面に対しては鉛直方向に立設して取り付けられている（例えば、特許文献１参照。）。
【０００４】
【特許文献１】特開２００１−３０３６２９号公報（図２）
【発明の開示】
【発明が解決しようとする課題】
【０００５】
しかしながら上記した水栓取付構造では、取付面への水栓本体の取付施工時に、ロックナットの締付による応力によって、傾斜面を備えるカバーが、取付面に沿って取付面の下り傾斜方向にスライドしようとする。よって、この水栓取付構造によって取り付けられる水栓本体が、傾斜面の下方向に傾いてしまい、本来直立しているべき水栓本体が傾いてしまうことがある。このように、従来の水栓取付構造では、取付作業時に水栓本体が傾いてしまい美観が損なわれたり、場合によっては傾いた水栓本体が周辺部材に干渉してしまうという問題があった。また、水栓本体が傾くことにより吐水方向が変わり吐水時に洗面ボウルなどから吐水が飛び散りやすくなるなどの問題もあった。また取付面に掘り込み部などを設けるとともに、掘り込み部などに対応した専用の水栓本体を用意しなくてはならないなど、洗面台・水栓本体ともに汎用品を利用できないという不都合があった。
【０００６】
本発明は上記した従来の水栓取付構造の問題点を解消するものであり、傾斜した取付面に取り付けられる水栓本体が傾かないようにして、水栓の美観を損ねたり周辺部材に干渉したりせず、吐水時の吐水の飛び散りも減少させることのできる水栓取付構造を提供することを目的とする。また同時に、傾斜した取付面に水栓本体を取り付ける際にも、取付面・水栓本体ともに専用品が不要な水栓取付構造を提供することも目的とする。
【課題を解決するための手段】
【０００７】
以上の課題を解決するために、本発明の採った手段を以下に説明する。本発明の水栓取付構造は、洗面台やキッチンユニットなどの取付基体の設置面に対して傾斜されて設置されるとともに水栓取付孔が形成された該取付基体の取付面に、水栓本体を、その長手方向をほぼ鉛直方向に向けて取り付けるためのほぼ筒状の水栓取付構造であって、水栓挿通孔と、該水栓挿通孔の挿通方向に直交する水栓取付面が一端側に、該水栓取付面に対して傾斜された傾斜面が他端側に、それぞれ形成された第１台座と、水栓挿通孔と、前記第１台座の傾斜面に対応する傾斜面が形成された第２台座と、前記両台座をそれらの傾斜面を向き合わせて締結可能に設けられた締結部材と、が備えられたことを特徴とする水栓取付構造（請求項１）である。
【０００８】
本発明の水栓取付構造では、第１台座と第２台座の両台座は締結部材によって締結され、これらの両台座の傾斜面が向き合わされた状態で、傾斜面間にカウンター等の取付基体の取付面が挟持される。例えば、通常の平板状の取付面に取り付ける場合には、第２台座の傾斜面は、第１台座の傾斜面に対して平行となるように対応した傾斜面として構成すればよい。また、両台座の傾斜面の角度は、取付面の傾斜角度に合わせて形成しておく。両台座は締結部材によって締結され、取付面の表側・裏側に配置された両台座が取付面を挟持できる。水栓本体は、このように取付面に固定された水栓取付構造の第１台座及び第２台座のそれぞれの水栓挿通孔に挿通されて取付面に取り付けられるが、水栓挿通孔の挿通方向に対して直交する水栓取付面に取り付けられる水栓本体は鉛直方向に立設させて取り付けることができる。
【０００９】
また、締結部材によって両台座が締め付けられて取付面に圧着される際には、それぞれの台座は、取付面に対してそれぞれの台座から見て下り傾斜となる方向にスライドしようとする。したがって、両台座は互いに相反する方向にスライドしようとする。しかしながら、本発明の水栓取付構造では、両台座は締結部材によって締結されて固定されているので、相反する方向にスライドするおそれはない。よって、取付面に対する台座の取付位置がスライドすることによる水栓本体の取付角度の傾きは生じない。
【００１０】
「締結部材」は、例えば、内部に水栓挿通孔を備えた円筒状の「ジョイント」などを例示できるが、両台座を締結可能であれば他の手段でも良く、例えば、数個のボルトによって両台座を締結することも可能である。また、「水栓取付構造」は筒状であれば良く、円筒状、断面四角の筒状などの形状を例示できる。
【００１１】
また、前記締結部材は、一端と他端に雄ネジ部を設けた円筒状のジョイントであるとともに、該ジョイントの該一端側には前記第１台座の水栓挿通孔内周面に設けられた雌ネジが螺合され、該ジョイントの該他端側にはナットが螺合されることにより、前記両台座が締結されるものとすることもできる（請求項２）。
【００１２】
このように、締結部材を円筒状のジョイントとすることにより、両台座の締結を強固にできるとともに、締結部材を安価・簡易に製造することができる。また、両台座を締結する作業も簡略化できる。
【００１３】
また、前記締結部材は、前記第１台座の傾斜面側に一体的に形成され、その下端には雄ネジ部が形成された円筒状のジョイントであるとともに、該雄ネジ部にナットが螺合されることにより、前記両台座が締結されるものとすることもできる（請求項３）。
【００１４】
締結部材を第１台座に一体的に形成するものとすることにより、部品点数を削減でき、両台座の取付作業を簡略化することができる。
【００１５】
また、請求項１乃至請求項３のいずれかの水栓取付構造において、前記第１台座の水栓取付面に、前記水栓本体を取付固定する取付固定部を一体的に形成したものとすることもできる（請求項４）。
【００１６】
水栓本体を取付固定する取付固定部を取付面表側に配設される第１台座の水栓取付面に形成しているので、作業者が目視可能な取付面表側において水栓取付構造への水栓本体の取付固定作業を行うことができ、取付の作業性を向上させることができる。
【００１７】
また、請求項１乃至請求項４のいずれかの水栓取付構造において、前記取付固定部は、前記水栓本体の下端部に設けられた雌嵌合部が外嵌可能な雄嵌合部であるとともに、該雄嵌合部の側面には、該水栓本体の雌嵌合部の側面に形成されたネジ挿通孔に挿入された雄ネジが螺合可能な雌ネジ孔が形成されたものとすることもできる（請求項５）。
【００１８】
水栓本体と取付固定部とを嵌合して取り付けることにより、取付固定部に水栓本体をより確実に固定し、水栓本体のガタツキなどを防止することができる。また、水栓本体側に雌嵌合部を設けることにより、台座側が露呈する部分を小さくすることができ、水栓の美観を損ねないようにすることもできる。
【発明の効果】
【００１９】
本発明の水栓取付構造は上記のように構成され、取り付けられた水栓本体が傾くことが無いので、水栓の美観を損ねたり周辺部材に水栓本体が干渉したりすることがなく、吐水時の吐水の飛び散りも抑えることができる。また、取付面に特別な加工を施す必要がなく、水栓本体も汎用品を用いることができる。また、請求項２の水栓取付構造では、両台座の締結を強固にすることができ、製造コスト及び取付の作業コストも低減することができる。また、請求項３及び請求項４の水栓取付構造では、作業コストを低減することもできる。また、請求項５の水栓取付構造では、水栓本体をより確実に固定し、水栓本体をガタツキなどを防止することができる。
【発明を実施するための最良の形態】
【００２０】
次に、本発明の水栓取付構造の実施の形態を図を参考にして詳細に説明する。図１に示すように、本例では、水栓１の水栓本体６は、水栓取付構造１０によって洗面台のカウンターの取付面２に取り付けられている。取付面２は、使用者に向かって（図１の右方向に向かって）下り傾斜の傾斜面に形成されている。この取付面２は、水平面から右下がりに約１８度傾斜されている。また、水栓１は、その下部の配管から供給される湯・水を、ハンドル４の操作によって、適温・適量となるように混合して、吐水口５から吐出させるものである。
【００２１】
図１乃至図３に示すように、取付面２には水栓取付孔３が開口されており、この水栓取付孔３に水栓本体６下部が挿通されて取付固定される。また、水栓取付孔３は、後述するジョイント３４の外径よりも僅かに大径に形成されている。水栓取付孔３の内周面は、この水栓取付孔３に挿通されて鉛直方向に立設される水栓本体６の外周面に沿うように、洗面台が設置される床面などに対して鉛直となるように形成されている。そして水栓取付構造１０は、第１台座２０と、ジョイント３４と、第２台座４０と、ナット５０とを備えている。
【００２２】
第１台座２０は、その全体が、下部に傾斜面２２を備え内部に水栓挿通孔３０を備えたほぼ円筒状に形成されている。傾斜面２２は、洗面台が設置された際の取付面２の傾斜角度と同じく後述する水栓取付面２６に対して約１８度の傾斜角度に形成されている。
【００２３】
また、その上部には、水栓本体６の雌嵌合部７が挿嵌接続される円筒状の雄嵌合部２４が形成されている。雄嵌合部２４は、水栓本体を取付固定する取付固定部に相当し、その外径が第１台座２０本体外径より若干小径に形成されており、第１台座２０本体との間には、水栓本体６の雌嵌合部７の下端が当接される段部状の水栓取付面２６が形成されている。この水栓取付面２６は、水栓挿通孔３０において水栓本体６が挿通される方向に対して直交する方向に形成されている。また、水栓取付面２６の内側には、嵌合される水栓本体６の雌嵌合部７のガタツキを防止するためのリム２７が形成されている。
【００２４】
また、雄嵌合部２４の側面には、雌嵌合部７が挿嵌接続された際に、雌嵌合部７に形成されたネジ挿通孔９に対応する位置に、ネジ孔２８が形成されている。水栓本体６と第１台座２０とは、このネジ挿通孔９に挿通されてネジ孔２８に螺合されるネジ８によって固定される。本水栓取付構造１０によれば、取付面２上側において、水栓本体６と第１台座２０とをネジ止めして固定でき、取付面２の下側における取付作業はナット５０をジョイント３４に締めつけるだけで良く目視作業が困難である取付面２下側における作業を簡略化できるので、水栓本体６の取付作業を簡略することができる。
【００２５】
そして、第１台座２０の内部には、水栓本体６下部の接続部１２が挿通される水栓挿通孔２４が形成されている。また、水栓挿通孔２４の傾斜面２２寄りの内周面には、後述するジョイント３４の雄ネジ３６が螺合する雌ネジ２９が刻設されている。なお、第１台座２０は取付面２の表側に配設され、使用者の目に付く部位に設けられるため、本例では、樹脂メッキによって水栓本体６の外観と同様にして美観を向上させている。また、本例では樹脂部品としているが、他の材質、例えば鋳物製品などの金属製としても良い。
【００２６】
ジョイント３４は、外径が水栓取付孔３の内径よりも僅かに小さく、ほぼ円筒状に形成されており、その内部が水栓挿通孔３８として設けられている。そして、ジョイント３４の外周面には、軸心方向全体に渡って雄ネジ３６が刻設されている。
【００２７】
ついで第２台座４０について説明する。第２台座４０は、その全体が、上部に傾斜面４２を備えたほぼ円筒状に形成されている。傾斜面４２は、第１台座２０の傾斜面２２と同様に、洗面台が設置された際の取付面２の傾斜角度と同じく、下部開口面４４に対して約１８度の傾斜角度に形成されている。
【００２８】
第２台座４０内部には、水栓本体６の接続部１２が挿通されたジョイント３４がさらに挿通される水栓挿通孔４６が形成されている。この水栓挿通孔４６の内径は、ジョイント３４の外径よりも僅かに大きく形成されている。そして第２台座の下部側には、水栓挿通孔４６において水栓本体６が挿通される方向に対して直交する方向に、下部開口面４４が形成されている。後述するナット５０がジョイント３４に螺合された際には、ナット５０がこの下部開口面４４全体に均一に当接・圧着することによって、第２台座４０を取付面２裏側に均一に圧着させる。なお、第２台座４０は取付面２の裏側に配設され、使用者の目に付かない部位に設けられるため、本例では、樹脂メッキなどを施さない樹脂部品としている。
【００２９】
ついで、この水栓取付構造１０による、取付面２への水栓本体６の取付方法について説明する。まず、最初に第１台座２０にジョイント３４を螺合する。ついで、第１台座２０に螺合されたジョイント３４を取付面２の水栓取付孔３に表側から挿通する。この際に、第１台座２０の傾斜面２２と水栓取付孔３の周縁部との間にシールパッキン１１を介在させる。そして、水栓取付孔３に挿通されたジョイント３４の先端に、取付面２裏側から第２台座４０を挿通し、さらに第２台座４０の裏側方向からナット５０をジョイント３４の雄ネジ３６に締め付ける。この際には、第１台座２０の傾斜面２２及び第２台座４０の傾斜面４２がそれぞれ取付面２の表側・裏側の傾斜に沿うように両台座２０，４０の位置決めを行いながら締付る。このようにしてまず水栓取付構造１０が取付面２に固定される。ついで、第１台座２０の上方から、水栓本体６の接続部１２を、水栓挿通孔３０に挿通させるとともに、水栓取付面２６に雌嵌合部７の下端を載置するようにして水栓本体６の雌嵌合部７を第１台座２０の雄嵌合部２４に挿嵌する。そして、水栓本体６のネジ挿通孔９に挿通したネジ８を第１台座２０のネジ孔２８に螺合して、水栓本体６が第１台座２０に固定される。そしてさらに、水栓本体６下部から延設された接続管１３を、取付面２の裏側に引き回された配管類に接続して、水栓本体６の取付が完了する。
【００３０】
このように構成された水栓取付構造１０は、ナット５０による締付操作によって両台座２０，４０が取付面２に圧着される結果、両台座２０，４０が取付面２に沿って相反する方向（図３の矢印Ａ，Ｂ方向）にスライドしようとしても、両台座２０，４０とはジョイント３４を介在して締結されているのでスライドはされない。よって、ナット５０の締付操作によって水栓本体６が傾くことがない。また、水栓取付孔３が形成されている取付面２であれば、既設の洗面台のカウンターなどでも水栓本体６を取り付けることができ、取付面２に特別な加工を施す必要もない。また、一般的な水栓本体６をそのまま用いて傾斜した取付面２に水栓本体６を取り付けることができる。
【００３１】
また、図５に示すように、第１台座２０とジョイント３４をあらかじめ一体化したものを用いることもできる。この場合には、水栓取付構造１０の部品点数を削減でき、取付作業を簡略化することもできる。
【００３２】
次に、本発明の水栓取付構造の別の実施の形態を図４を参考にして説明する。なお、上記した第一の実施の形態と共通する構成については、第一の実施の形態と同一の符号を図に付して説明を省略する。この水栓取付構造１０’は、ナット５０に代えて、公知の馬蹄形座金５２及び迅速取付ナット５４を用いて第２台座４０を締め付けるものである。馬蹄形座金５２は、水栓本体６下部から突設された接続管１３及び雄ネジ部１４を抱き込むようにして平面視馬蹄形に形成された座金であり、その上面が第２台座４０の下部開口面４４に当接可能に構成されている。この馬蹄形座金５２を、雄ネジ部１４に挿通されて係合固定される迅速取付ナット５４によって下部開口面４４に当接させ、第２台座４０を取付面２裏側に圧着させて水栓取付構造１０’を取付面２に固定する。
【００３３】
一方、本水栓取付構造１０’を用いた場合、水栓本体６の雄ネジ部１４が、迅速取付ナット５４及び馬蹄形座金５２を介して水栓取付構造１０’に固定されることになるので、第一の実施の形態のように、第１台座２０’には嵌合部やネジ挿通孔などの固定用の部位を設ける必要がない。また、迅速取付ナット５４及び馬蹄形座金５２によって第２台座４０が固定されるので、ジョイント３４’の下部側には、ナット５０を螺合する雄ネジは必要なく設けられていない。なお、第１台座２０’の上部開口面が、水栓本体６に直交する水栓取付面２６’とされている。
【００３４】
なお、本発明は上記した実施の形態に限られるものではなく、本発明の趣旨の範囲内で種々の変更が可能である。例えば、第１の実施の形態における嵌合部７，２４は、水栓本体６又は第１台座２０のいずれかに雄側を他方に雌側を形成すれば良い。しかしながら、台座部分が大きく露呈しないようにして水栓の美観を損ねないようにするためには、水栓本体６側第１台座２０，２０’側を覆うように水栓本体６側を雌嵌合部とすることが好ましい。また、両台座２０，２０’，４０の傾斜面２２，４２の角度を上記例から変更したものを用いることにより、他の角度の傾斜に設けられた取付面２に取り付けることもできる。
【図面の簡単な説明】
【００３５】
【図１】本発明の水栓取付構造を用いて接続固定される水栓の縦断面図である。
【図２】図１の要部拡大縦断面図である。
【図３】図１の水栓取付構造の分解斜視図である。
【図４】別の水栓取付構造の分解斜視図である。
【図５】さらに別の水栓取付構造の要部拡大縦断面図である。
【符号の説明】
【００３６】
１；水栓、２；取付面、３；水栓取付孔、４；ハンドル、５；吐水口、６；水栓本体、７；雌嵌合部、８；ネジ、９；ネジ挿通孔、１０，１０’；水栓取付構造、１１；シールパッキン、１２；接続部、１３；接続管、１４；雄ネジ部、２０，２０’；第１台座、２２；傾斜面、２４；雄嵌合部、２６，２６’；水栓取付面、２７；リム、２８；ネジ孔、２９；雌ネジ、３０；水栓挿通孔、３４，３４’；ジョイント、３６；雄ネジ、３８；水栓挿通孔、４０；第２台座、４２；傾斜面、４４；下部開口面、４６；水栓挿通孔、５０；ナット、５２；馬蹄形座金、５４；迅速取付ナット。
【図１】
2006316531.tif 000003
【図２】
2006316531.tif 000004
【図３】
2006316531.tif 000005
【図４】
2006316531.tif 000006
【図５】
2006316531.tif 000007